(57)【要約】【課題】  ねじの取り外しや取り付けの際に、ねじの脱落を防止するためのビス脱落防止具及びビス脱落防止具を装着したドライバーを提供する。【解決手段】  ドライバー用のビス脱落防止具であって、ドライバー１０の軸部１の外周に嵌着される円筒部材３と、この円筒部材２の外周に嵌着され、先端が折曲された爪７を備えた複数のアーム４と、アーム４の外周を軸方向にスライドして爪７の先端を開閉させる保持力調節部材３により構成される。【選択図】        図１
0003117827.tif 000002
【実用新案登録請求の範囲】
【請求項１】
ドライバーの軸部の外周に嵌着される円筒部材と、
この円筒部材の外周に嵌着され、腕の先端が折曲された複数の爪を備えたアームと、
このアームの外周を軸方向にスライドして爪の先端を開閉させる保持力調節部材と
を備えたことを特徴とするビス脱落防止具。
【請求項２】
前記円筒部材は絶縁性材料で形成されることを特徴とする請求項１記載のビス脱落防止具。
【請求項３】
前記絶縁性材料は塩化ビニールであることを特徴とする請求項２記載のビス脱落防止具。
【請求項４】
前記アームはナイロンにより形成されることを特徴とする請求項１記載のビス脱落防止具。
【請求項５】
さらに内径調整用Ｏリングを用いたことを特徴とする請求項１ないし請求項４のいずれかに記載のビス脱落防止具。
【請求項６】
請求項１ないし請求項５のいずれかに記載のビス脱落防止具を軸部に移動可能に装着したことを特徴とするドライバー。
【考案の詳細な説明】
【技術分野】
【０００１】
本考案は、ビスの取り付けや取り外しの際に、ビスを把持することによってビスの脱落を防止することが可能なドライバー用のビス脱落防止具とそのビス脱落防止具を装着したドライバーに関する。
【背景技術】
【０００２】
ドライバー用のビス脱落防止具やそのビス脱落防止具を用いたドライバーの第１の従来例を図６を用いて説明する（特許文献１）。このビス脱落防止具は、ボルト１５の頭部１５ｂ又は首部の外周を挟みボルト１５を工具１６と固定保持するための円周方向に分割配置した２個以上の爪１１ａが、ボルト１５の矢印Ｃ又はＤ方向への抜き差しを容易に可能にすると共に、ボルト１５の固定を確実に行うための弾性を有するアーム１１ｂ部で一体となって工具１６と相対的に矢印Ｃ又はＤの方向に移動可能且つ、その移動を拘束する手段を有する本体１１Ｃ部と、工具１６に対して矢印Ｄ方向にボルト、子ねじ等保持工具１１の移動を拘束する手段１２から構成される。
【０００３】
図７は、第２の従来例を説明する図面である（特許文献２）。このドライバー２１は、その軸部２１ａにホルダー２２が外装され、ホルダー２２は、ねじの頭部を抱え込む爪２７を有し、コイルスプリング２３でホルダー２２を先端方向に付勢し、ナット２４でホルダー２２を軸２１ａに係止させ、締結部材より取外されたねじは、ホルダー２２先端の爪２７に支えられ保持される構造である。
【０００４】
図８は、第３の従来例を説明する図面である（特許文献３）。これはねじ用チャックの構造であり、このねじ用チャックは、内筒体３２の先端部にテーパ面３５を形成し、外筒体３４は、軸心方向から見て花弁状に配設されると共に内端部がねじ頭部に係止する複数のねじ頭部掴持片４３を有し、内筒体３２の基部を外筒体３４よりも基端側へ突出させて摘み部４５を形成し、内筒体３２の周壁に径方向の貫孔４１を設け、その貫孔４１に内側に僅かに突出してビット３１の凹部３８に係止する係止用球体３７を挿入し、中間筒体３３の内周面に係止用球体３７に当接乃至近接して抜け止めすると共に中間筒体３３を先端側へスライドさせた状態において係止用球体３７から退避する突部３３ａを突設する構造である点が特徴である。
【特許文献１】実用新案登録第３０４０１４８号公報
【特許文献２】実開平５−４４４６９号公報
【特許文献３】実用新案登録第３０２９０６０号公報
【考案の開示】
【考案が解決しようとする課題】
【０００５】
図６に示す第１の従来例では、ビス脱落防止具をボルト１５にしっかり固定するためにはボルト１３を締め付ける必要があり、手間がかかって不便であるという欠点があった。またアーム１１ｂの弾性力のみで爪１１ａがビスを保持する構造であって、アーム１１ｂや爪１１ａを外側から押さえ付ける仕組みを持たないので、安定してビスを保持することができず、ビスが脱落し易いという欠点もあった。
【０００６】
図７に示す第２の従来例でも第１の従来例と同様に、ねじを把持する爪２７が設けられたホルダー２２は、その弾性力を利用した自律的な力でねじを把持するのみでホルダー２２を押さえる構造を持たないので、やはり安定してねじを把持することができず、ねじがはずれて脱落し易いという欠点があった。
【０００７】
図８に示す第３の従来例でも、やはりホルダー４３を押す構造を持たないから、安定してねじを把持できないという上記の従来例と共通する欠点を有するとともに、極めて構造が複雑なため、製作に時間を要し、高価格になって経済的ではないという欠点もあった。つまり、いずれの従来例も、ビスやねじを保持するための爪を外側から押さえ付ける構造を持たないため、爪が安定してビスを把持することができず、ビスがはずれ易いという共通の欠点を有していた。
【課題を解決するための手段】
【０００８】
本考案のビス脱落防止具は、ドライバーの軸部の外周に嵌着される円筒部材と、この円筒部材の外周に嵌着され、腕の先端が折曲された複数の爪を備えたアームと、アームの外周を軸方向にスライドして爪の先端を開閉させる保持力調節部材より構成されることを特徴とする。
【考案の効果】
【０００９】
以上記載したように、本考案のビス脱落防止具によれば、ビスを把持するアームの外側からアームを押さえ付ける保持力調節部材を設け、これをスライド可能にして適切な力でビスを把持するという新規な構造を用いたので、ビスの脱落を確実に防止することができる。また保持力調節部材の構造は簡単なため製造が容易であり、安価で経済性に優れる。さらに円筒部材や保持力調節部材を絶縁性材料で生成することができるので、従来タイプの通常のドライバーでは困難であった電源線の取り付けや取り外し等の活線作業にも使用することができ、ドライバーの使用範囲を拡大することもできる。
【考案を実施するための最良の形態】
【００１０】
図１は本考案のドライバーの全体的構造を示した図である。図１（ａ）は本考案の対象であるビス脱落防止具の部分が取り付けられていない従来のドライバー、図１（ｂ）は本考案のビス脱落防止具をドライバー１０の軸部１に取り付けた状態であってドライバー１０の軸部１の先端が隠れた状態、図１（ｃ）は複数の爪でビスを把持しながらドライバー１０の軸部１の先端をビスのねじミゾに指し込んでビスを回転させるときのドライバーの状態を示す（ビスの図は省略）。
【００１１】
図１（ａ）〜（ｃ）において、１０はドライバー、１はドライバー１０の軸部、２はドライバー１０の軸部１に嵌着された円筒部材、７はビスを把持するための爪、４はこの円筒部材の外周に嵌着され爪７を先端に有するアーム、３はアーム４の外周を軸方向にスライドして爪７の先端を開閉させ、かつ把持したビスの保持力を調整する保持力調節部材であり、本考案の特徴的部分である。円筒部材２は前後にスライド可能な構成であり、前方にスライドさせたときにはドライバー１０の軸部１の先端は隠れ、後方にスライドさせたときには、ドライバー１０の軸部１の先端は露出される。このように、円筒部材２を前後にスライド可能として、ドライバーを使用するときだけドライバー１０の軸部１の先端を露出させ、未使用状態ではドライバー１０の軸部１の先端を隠れるような構造にすることにより、不慮の事故等によりドライバー１０の軸部１の先端で人体を傷つけることを防止することができる。図１（ｂ）はこのような円筒部材２を前方にスライドさせてドライバー１０の軸部１の先端が隠された状態である。本考案のドライバーを使用するときには、円筒部材２を後方にスライドさせてドライバー１０の軸部１の先端をビスのねじミゾに指し込むとともに複数の爪７でビスを把持し、保持力調整部材３を適当な位置にセットして適切な力でビスを保持するもので、図１（ｃ）はそのような動作を行なうときのドライバーの状態を示したものである。また円筒部材２の材質は特に限定しないが、塩化ビニール等の絶縁体を用いれば絶縁ドライバーになるので、電源線の取り付けや取り外し等の活線作業にも使用することができ、一層便利である。
【００１２】
ビスを把持するための爪７を有するアーム４は折れ曲がり可能な柔らかい材質の材料を用いて作成され、複数個のアーム４を円周状に沿って、例えば花弁状に配置することが望ましい。もちろんアーム４の配置は花弁状には限定されず、種々の形状に配置することができる。アーム４の個数には制限はないが、ビスをバランスよくかつ確実に把持するためには多数の爪を設ける方が望ましいが、製造の容易性を考慮すると、例えば８個程度とするのが好適である。アーム４の材質は、耐久性があって弾性があれば特に制限はないが、安価でかつ絶縁性がある材料が望ましく、ナイロンが好適である。
【００１３】
本考案の特徴である保持力調節部材３は、前後にスライド可能でかつアーム４の外側に設けられてアーム４を外側から覆う構造であり、前後にスライドさせながらアーム４を覆う程度を調節することにより、ビスを把持したアーム４の保持力を調節することができる。すなわち、保持力調節部材３を後方にスライドさせるとアーム４を押さえ付ける力が弱くなるのでアーム４の各々の爪７を外方に開かせることができ、開いた各々の爪７でビスを把持した後に保持力調節部材３を適当な量だけ前方にスライドさせてアーム４を外側から押さえ付けることにより適切な力でビスを把持することができる。
【００１４】
図２（ａ）はビス脱落防止具の拡大断面図、図２（ｂ）はその先端部分の外観図、図２（ｃ）は先端側の方向（図２（ｂ）の矢印で示した方向）からドライバー側を見た図である。図１と同一部位には同一の符号を付す。６は本考案のドライバーによって取り付け又は取り外されるビスであり、６Ａはこのビスの首部であり、６Ｂはこのビスの頭部である。複数のアーム４の先端の各爪７でビス６を把持し、アーム４の外側から本考案の特徴である保持力調節部材３によりアーム４を押さえつけてビス６を適切な力で保持し、ビスの脱落を防止するものである。
【００１５】
図３は内径調節用のＯリング５の部分を拡大して示した図である。円筒部材２とねじ込み式ジョイント８間に設けられたＯリング５を挿入し、ジョイント８をねじ込んでいくとＯリング５がつぶれてＯリング５の内径が狭くなり、円筒部材２とねじ込み式ジョイント８をドライバー１０の軸部１に固定することができる。
【００１６】
図４（ａ）はビス脱落防止具の拡大断面図、図４（ｂ）はその先端部分の外観図、図４（ｃ）は先端側の方向（図４（ｂ）の矢印で示した方向）からドライバー側を見た図である。図１と同一部位には同一の符号を付して、説明を省略する。５は内径調節用のＯリングである。Ｏリングの部分の詳細な構造は図３に示し、その説明も後述する。ドライバー１０の軸部１は円筒部材２の内部で前後（図上では左右の方向）に移動可能である。アーム４はその先端に複数の爪７を有し、各々の爪７は図４（ｂ）や同（ｃ）に示すように円筒部材２の外円周に沿ってほぼ均等に、例えば花弁状等の形状に設けられる。爪７の数に制限はないが、図の例は８個の爪７を使用した例である。必要な保持力と製造容易性を考慮して適当な爪７の数を選択すればよい。アーム４の外側に保持力調節部材３を設ける点が本考案の特徴である。この保持力調節部材３は前後にスライド可能な構造であり、材質は問わないが、円筒部材２と同様に絶縁材を使用するのが好適である。
【００１７】
図５は本考案のドライバーの拡大断面図を用いてビスを把持する工程を詳細に示した図である。図５においては、図１〜図４と同一の部位には同一の符号を付し、詳細な説明を省略した。図５（ａ）は円筒部材２を前方にスライドさせてドライバー１の軸部１の先端が円筒部材２の中に隠れ、爪７でビス６を掴む直前の状態を示す。図５（ｂ）は保持力調節部材３を後方にスライドさせてアーム４を外方に開いて爪７でビス６の頭部６Ｂを掴み始めた状態を示す。図５（ｃ）は爪７をビス６の頭部６Ｂとスプリングワッシャーの間の首部６Ａに移動させ、保持力調節部材３を前方に適切な量だけスライドさせてビスをしっかり把持した後にドライバー１を前進させてドライバー１の先端をビス６に接近させつつある状態を示す。図５（ｄ）はビス６のねじミゾにドライバー１の先端を指し込んだ状態を示す。ビスを取り付ける場合には、この状態でねじミゾにビスを挿入してビスを順方向に回転させればビスを取り付けることができる。またビスを取り外す場合には、ドライバー１の軸部１の先端を逆方向に回転させればビス６を緩めて取り外すことができる。
【００１８】
次に本考案のドライバーを用いてビスを取り付ける手順と取り外す手順を説明する。
ビスを取り付ける場合には、まず円筒部材を前方にスライドさせることにより、ビス脱落防止具全体を前方にスライドさせる。次に保持力調節部材を前後にスライドさせて爪７の開き具合を調節しながら、取り付けるべきビスを爪７で把持する。次に円筒部材を後方にゆっくりとスライドさせながらドライバー１０の軸部１の先端を前進させて、ドライバー１０の軸部１の先端をビスのねじミゾ（＋または−）に指し込む。正確に指し込んだことを確認したら、ドライバー１０の軸部１の先端をねじミゾにねじ込んで、ドライバーを回転させる。
【００１９】
ビスを取り外す場合には、まず円筒部材を後方にスライドさせることによりビス脱落防止具全体を後方にスライドさせてドライバー１０の軸部１の先端を露出させる。次にドライバー１０の軸部１の先端をビスのねじミゾに指し込み、ドライバーを回転させてビスが外れない程度に少し緩める。次に、そのまま円筒部材を前方にスライドさせてドライバー１０の軸部１の先端を一旦ビスから離して後退させ、保持力調節部材を前後にスライドさせてアーム４の開き具合を調節しながらビスに爪７を押し付けてビスを把持する。次にドライバーを押し出し、ドライバー１０の軸部１の先端をビスのねじミゾに指し込み、ドライバーを逆回転させれば、ビスをビス脱落防止具に把持したまま取り外すことができるので、取り外したビスの脱落を防止することができる。
【図面の簡単な説明】
【００２０】
【図１】本考案のドライバー及びビス脱落防止具の外観である。
【図２】ドライバー１０の軸部１の先端がビスのねじミゾに指し込まれた状態の本考案のドライバーである。
【図３】本考案のドライバーの内径調整用のＯリングの部分の構造である。
【図４】ドライバー１０の軸部１の先端が隠された状態の本考案のドライバーである。
【図５】本考案のドライバーをビスのねじミゾに指し込むまでの工程を表す図である。
【図６】従来のドライバーの第１の例である。
【図７】従来のドライバーの第２の例である。
【図８】従来のドライバーの第３の例である。
【符号の説明】
【００２１】
１  軸部
２  円筒部材
３  保持力調節部材
４  アーム
５  内径調整用Ｏリング
６  ビス
７  爪
１０  ドライバー
【図１】
0003117827.tif 000003
【図２】
0003117827.tif 000004
【図３】
0003117827.tif 000005
【図４】
0003117827.tif 000006
【図５】
0003117827.tif 000007
【図６】
0003117827.tif 000008
【図７】
0003117827.tif 000009
【図８】
0003117827.tif 000010